(57)【要約】【課題】ペーパーロールから引き出されたペーパーを片手で切断することができるペーパーロール保持具を提供する。【解決手段】保持具本体４は、トイレットペーパー２がロール状に巻回されたペーパーロール３を横向きとして回転自在に収納すると共に、前面５の下部にペーパー３の引き出し口17を横向きに設けている。そして、ペーパーロール３２ら引き出されたペーパー２を幅方向に切断するためのペーパーカット板18を引き出し口17の下部に設ける。ペーパーカット板18の断面は、上端18Ａが先細なほぼ三角形状に形成されている。引き出し口17より引き出したトイレットペーパー２を下向きとしてやや押しこむことで、ペーパーカット板18の前縁18Ｂにより簡単に切断を行うことができる。【選択図】図２
2013022051.tif 000002
【特許請求の範囲】
【請求項１】
ペーパーがロール状に巻回されたペーパーロールを横向きとして回転自在に収納すると共に前面下部に前記ペーパーの引き出し口を横向きに設けた保持具本体と、該ペーパーロールから引き出されたペーパーを幅方向に切断するためのペーパー切り手段を備えたペーパーロール保持具であって、前記ペーパー切り手段は前記引き出し口の下部に、該下部に沿って設けられたことを特徴とするペーパーロール保持具。
【請求項２】
前記ペーパー切り手段の断面は、上端が先細なほぼ三角形状であることを特徴とする請求項１記載のトイレットペーパーロール保持具。
【発明の詳細な説明】
【技術分野】
【０００１】
本発明は、トイレットペーパーロールやキッチンペーパーロールから引き出されたペーパーを幅方向に切断するためのペーパー切り手段を備えたペーパーロール保持具に関する。
【背景技術】
【０００２】
従来、この種のものとして横向きのトイレットペーパーロールの左右を挟持する保持具本体の上部に蓋部を起伏自在に設け、引き出したトイレットペーパーを蓋部の先端縁で切断するものが公知である。そして、このようなものではトイレットペーパーの先端縁を下向きに所望長さ引き出した後、その先端縁を上向きにすることで、蓋部の先端縁によってトイレットペーパーを切断するようになっている。
【先行技術文献】
【特許文献】
【０００３】
【特許文献１】特開２０１１−１２０８４９号公報
【発明の概要】
【発明が解決しようとする課題】
【０００４】
従来技術では、トイレットペーパーを切断するときには、一方の手で蓋部を下向きに押さえて、他方の手でトイレットペーパーの先端を上向きに持ち上げるようにして切断を行うので、切断時には両手を使用することとなり、扱い性に劣るという問題があった。
【０００５】
そこで、本発明はペーパーロールから引き出されたペーパーを片手で切断することができるペーパーロール保持具を提供することを目的とする。
【課題を解決するための手段】
【０００６】
請求項１の発明のペーパーロール保持具は、ペーパーがロール状に巻回されたペーパーロールを横向きとして回転自在に収納すると共に前面下部に前記ペーパーの引き出し口を横向きに設けた保持具本体と、該ペーパーロールから引き出されたペーパーを幅方向に切断するためのペーパー切り手段を備えたペーパーロール保持具であって、前記ペーパー切り手段は前記引き出し口の下部に、該下部に沿って設けられたことを特徴とする。
【０００７】
請求項２の発明のペーパーロール保持具は、請求項１において、前記ペーパー切り手段の断面は、上端が先細なほぼ三角形状であることを特徴とする。
【発明の効果】
【０００８】
請求項１の発明によれば、引き出したペーパーを下向きに引っ張ることで、引き出し口の下部に設けられたペーパー切り手段によって簡単に切ることができる。
【０００９】
請求項２の発明によれば、切断されたペーパーの先端側において、ペーパー切り手段の後面に案内されて前面側の部位がややペーパーの剛性によりやや浮き上がり、ペーパーを摘みやすくなる。
【図面の簡単な説明】
【００１０】
【図１】本発明の実施例１を示す全体斜視図である。
【図２】同全体正面図である。
【図３】同全体断面図である。
【図４】同要部の断面図である。
【図５】本発明の実施例２を示す斜視図である。
【図６】本発明の実施例３を示す斜視図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
円筒状紙製のロール芯１にトイレットペーパー２がロール状に巻回されたトイレットペーパーロール３を収納する保持具本体４は、前面５、後面６、左側面７、右側面８及びこれらの下方を閉塞する底面９を有すると共に、上方を開口部10とした一体化された中空部11を有する箱型ケース12と、開口部10を閉塞する回転可能な天蓋13とを備える。実施例では軸心Ｘ方向を左右方向に向けたトイレットペーパーロール３，14を、使用トイレットペーパーロール３とその上段の補充トイレットペーパーロール14の上下２段に収納できるように中空部11は形成されており、この中空部11の第一の横幅Ａはトイレットペーパー２の第二横幅Bと同じかやや大きく形成されている。そして、下段にあるトイレットペーパーロール３はトイレットペーパー２が順次引き出され、上段にあるトイレットペーパーロール14は予備のものである。そして、保持具本体４は後面６がトイレ室の壁などの被取り付け面15に当てられると共に、後面６はビスなどの第一の固定具16によって固定されるようになっている。
【００１３】
前面５の下部にトイレットペーパー２の取り出し口である引き出し口17が横向きに設けられる。実施例では引き出し口17は未使用状態にある下段のトイレットペーパー２の軸心Ｘよりも下方であって、かつトイレットペーパー２の下部よりも上方に配置されており、この引き出し口17の第三の横幅Ｃはトイレットペーパー２の第二横幅Bとほぼ同じ長さである。そして、引き出し口17の左右方向横向きの下側縁17Ａに、所望長さ引き出した状態のトイレットペーパー２を切断するためのペーパー切り手段であるトイレットペーパーカット板18を設ける。また、引き出し口17における下側縁17Ａに対向する上側縁17Bとトイレットペーパーカット板18の上端18Ａまでの第一の開口高さＥはトイレットペーパー２の第一の厚みよりは十分に高くなって容易にトイレットペーパー２が引き出せると共に、指が入り込まない程度、例えば１０ｍｍ以下に形成されている。さらに、引き出し口17における左右方向の中央部における上側縁17B側は左右両側と連続して上方へ突設するような円弧状切り欠き形状であって、その上側縁17Bと上端18Ａとの最高位置である第二の開口高さＦは、第一の開口高さＥよりも高くなってトイレットペーパー２の先端２Ａを指で摘むことができるように指が入り込むことができる程度、例えば１０ｍｍ以上に形成されている。
【００１４】
そして、トイレットペーパーカット板18は、前縁18Bが先鋭に形成される共に上端18Ａを上向きにした前後方向の断面が山形三角形状をなしており、下側縁17Ａの後ろ側に連続して設けられた水平台部19上にビスなどの第二の固定具20を介して固定されている。このトイレットペーパーカット板18は弾性ゴム、弾性合成樹脂などのエラストマーによって形成され、下側縁17Ａよりも前縁18Bがやや前方に配置されて、下側縁17Ａの長手方向に沿って、すなわち左右方向に沿って下側縁17Ａの全長に固定されている。トイレットペーパーカット板18の上端18Ａの挟角度Ｄは鈍角又は鋭角に形成されている。実施例ではトイレットペーパーカット板18の前面18Ｃの第一の仰角Ｇは３０〜６０°、好ましくは３８〜４５°に形成されている。同様にトイレットペーパーカット板18の後面６の第二の仰角Ｈも３０〜６０°、好ましくは３８〜４５°に形成されている。さらに、トイレットペーパーカット板18の前面18Ｃの傾斜長さは５〜３０ｍｍ、実施例では１５ｍｍ程度に形成されている。そして、ペーパーカット板18の後面18Ｄにはトイレットペーパー２との摩擦手段を設ける。実施例では後面18Ｄに溝21を左右方向に沿って設けることで、トイレットペーパー２と後面18Ｄとの摩擦を大きくしてトイレットペーパー２の滑り止めを図っている。尚、凹状の溝21に替えて小突起を設けるようにしてもよい。
【００１５】
また、中空部11における底面９は前後方向の中央部が窪むように断面Ｖ字形状に形成されており、その最低部には下方を貫通する第一の貫通部22が形成されていると共に、この第一の貫通部22に連続して左右側面８に内外を連通する第二の貫通部23が形成されている。第一の貫通部22の左右方向の長さＩはロール芯１の横幅と同じかやや長く形成されており、また、第一の貫通部22の前後方向の第二の長さＪはロール芯１の直径Ｋよりもやや狭く形成されている。また、第二の貫通部23は実施例では上方に突設するように切り欠き状になっており、トイレットペーパー２を使いきったロール芯１の左右端側の内周面に第二の貫通部23を通った指先を引っ掛けることができるようになっている。
【００１６】
上段にあるトイレットペーパーロール14は、下段にあるトイレットペーパーロール３の上方に間隔をおいて保持されており、この保持は下段にあるトイレットペーパーロール３の周面下部を支持する帯板状の支持部材24によってなされるもので、支持部材24は左右側面８間を架設し、支持部材24の両端は左右側面８より外側に突設ように設けられると共に摘み部25が設けられている。そして、左右側面８には支持部材24の両端が貫通すると摺動可能な案内孔26が設けられている。この案内孔26は上段にあるトイレットペーパーロール３のロール芯１の位置を中心として、半径を上段にあるトイレットペーパーロール14の外周の半径とほぼ同じに円弧状に設けたものであって、その上端は後ろ側に設けると共に下端はトイレットペーパーロール14のロール芯14Ａの下方に位置している。
【００１７】
尚、前面５の上下方向の中央には、暦を印刷した暦シート27が設けられており、この暦シート27は前面５に凹設した窓孔28に装着されるようになっている。
【００１８】
次に前記構成についてその作用を説明する。支持部材24を後側に配置した状態で天蓋13を開いた状態の開口部10より下段のトイレットペーパーロール３を中空部11に収納する。この際、図２に示すようにトイレットペーパーロール３のトイレットペーパーが時計方向周り、すなわち先端２Ａがトイレットペーパーロール３の下部から前方に向くことができるように収納する。次に、摘み部25を摘まんで支持部材24を下方に回動し、そして上段のトイレットペーパーロール14を支持部材24に載置する。この際、その先端14Bを上段のトイレットペーパーロール３のほぼ真上に配置しておく。
【００１９】
下段のトイレットペーパーロール14のトイレットペーパー２の先端２Ａを第二の開口高さＦの部位から指を差し込んで引き出し口17よりほぼ水平に前方に必要長さ引き出す。次に引き出したトイレットペーパーを摘まんで図２の実線に示すように下方に引くだけで、トイレットペーパー２が前縁18Bと当たって該前縁18Bでトイレットペーパー２がカットされる。この際、断面がほぼ三角形状のトイレットペーパーカット板18においては、トイレットペーパー２は上端18Ａにより係止されることで、トイレットペーパーロール３の繰り出しが抑えられる。そして、前面18Ｃに当たっていたトイレットペーパー２の部位２Bは図２の一点鎖線に示すように前方に突き出る状態となる。これはトイレットペーパー２ーのいわゆる腰の強さ、すなわちトイレットペーパー２の剛性によって前面18Ｃに当たっていたトイレットペーパー２の部位２Bは前面18Ｃよりやや浮き上がって前向きとなる。したがって、次回トイレットペーパー２を引き出すときには、前方に付き出ている部位２Bを摘まむことで簡単に行うことができる。尚、トイレットペーパー２の部位２Bが戻ろうとしても、溝21、さらには狭い第一の開口高さＥの箇所でトイレットペーパー２が引っ掛かり気味となって戻りを阻止することができる。
【００２０】
このようにして、下段のトイレットペーパーロール３が消費されると、そのロール芯１が底面９上に残る。残ったロール芯１の取り出しは、まず第二の貫通部23に指を挿入してロール芯１を下方に押し込むことで、ロール芯１は押し潰されながら第一の貫通部22を下方に抜けて排出される。
【００２１】
そして、上段のトイレットペーパーロール14を下段に供給するには、指でつまんだ摘み部25を後側上方に回動すると、支持部材24も後側に回動して、上段のトイレットペーパーロール14の支持が解除され、上段のトイレットペーパーロール14が底面９上に落下して、このトイレットペーパーロール14のトイレットペーパー２を順次引き出して使用する。尚、支持部材24が９０°回動することで、上段のトイレットペーパーロール14も同じ方向に９０°回動して底面９上に落下することで、上段のトイレットペーパーロール14の上部にあった先端14Bは前部に回動するので、引き出し口17側から指を挿入して先端を摘まんでトイレットペーパーロール14を引き出すことができる。
【００２２】
以上のように、実施例では引き出し口17の第三の横幅Ｃはトイレットペーパー２の全幅とほぼ同じに形成され、ペーパー切り手段は引き出し口17の下部に、該下部に沿って設けられたことにより、引き出し口17より引き出したトイレットペーパー２を下向きとしてやや押しこむことで、簡単に切断を行うことができる。
【００２３】
また、ペーパー切り手段であるペーパーカット板18の断面は、上端18Ａが先細なほぼ三角形状とすることにより、その前縁18Bでトイレットペーパー２を切断でき、また後面18Ｄの傾斜により切断されたトイレットペーパー２の部位２Bを前面18Ｃの上方で前向きに浮かせるようにすることができ、部位２Bを指で摘みやすくすることができる。
【実施例２】
【００２４】
以下に他の実施例について説明する。尚、前記実施例１と同一部分には同一符号を付し、その詳細な説明は省略する。
【００２５】
図５は実施例２を示しており、この実施例２では、中空部11にトイレットペーパーロール２を1個のみを収納するものであり、引き出し口17の下部にトイレットペーパーカット板18が設けられている。
【００２６】
そして、引き出し口17より引き出したトイレットペーパー２を下向きとしてやや押しこむことで、前縁18Bによって簡単に切断を行うことができる。
【実施例３】
【００２７】
図６は実施例３を示しており、この実施例３では、ペーパーカット板18´の断面は、上端18´Ａが円弧状となって先細なほぼ三角形状とすることにより、その前縁18Bでトイレットペーパーを切断でき、また後面18Ｄの傾斜により切断されたトイレットペーパーの部位を前面18Ｃの上方で前向きに浮かせるようにすることができる。
【産業上の利用可能性】
【００２８】
以上のように本発明に係るペーパーロール保持具は、各種の用途に適用できる。
【符号の説明】
【００２９】
２  トイレットペーパー
３  トイレットペーパーロール
４  保持具本体
17  引き出し口
18  18´  ペーパーカット板
18Ａ  18´Ａ  上端
【図１】
2013022051.tif 000003
【図２】
2013022051.tif 000004
【図３】
2013022051.tif 000005
【図４】
2013022051.tif 000006
【図５】
2013022051.tif 000007
【図６】
2013022051.tif 000008